(57)【特許請求の範囲】
【請求項１】
ディスク状記録媒体を回転可能に収納し、このディスク状記録媒体の主面に対向する部分に一定の間隔を隔て相対向して第１及び第２の壁部を設け、これら第１及び第２の壁部に相対向して、上記ディスク状記録媒体の信号記録領域の一部を内外周に亘って外方に臨ませる記録及び／又は再生用の開口部と、上記ディスク状記録媒体の中心部を外方に臨ませる駆動用開口部とが設けられたカートリッジ本体と、
上記第１及び第２の壁部との間で移動するように上記カートリッジ本体に支持され、上記記録及び／又は再生用の開口部と駆動用開口部を開閉する第１及び第２のシャッタ部材とを有し、
上記第１及び第２のシャッタ部材は、上記第１のシャッタ部材に設けた係合保持部に上記第２のシャッタ部材の一部を係合保持させることによって、第１のシャッタ部材に相対関連して上記第２のシャッタ部材が回動するように上記カートリッジ本体に支持され、上記第１のシャッタ部材が上記記録及び／又は再生用の開口部を覆う第１の位置に移動されたとき、上記第２のシャッタ部材が上記第１のシャッタ部材の一側に密接して上記駆動用開口部を覆い、上記第１のシャッタ部材が上記記録及び／又は再生用の開口部を開放する第２の位置に回動されたとき、上記第２のシャッタ部材が上記駆動用開口部を開放する位置に回動されるディスクカートリッジ。
【請求項２】
上記第１及び第２のシャッタ部材は、上記記録及び／又は再生用の開口部及び駆動用開口部を閉塞する位置に移動されたとき、互いの一側に互いに重なり合うオーバーラップ部が設けられていることを特徴とする請求項１記載のディスクカートリッジ。
【請求項３】
上記第１のシャッタ部材は、一端側が上記カートリッジ本体に形成された上記ディスク状記録媒体を回転可能に収納する円形をなす媒体収納部の外周部に近接した位置を沿って移動するように支持されてなる請求項１記載のディスクカートリッジ。
【請求項４】
上記円形をなす媒体収納部の外周部に沿って円弧状のガイド溝が形成され、このガイド溝に上記第１のシャッタ部材の一端側に形成した円弧状の立ち上がり部を係合させ、この立ち上がり部が上記ガイド溝内を移動することによって上記第１のシャッタ部材が回動されることを特徴とする請求項３記載のディスクカートリッジ。
【請求項５】
上記第１のシャッタ部材は、上記記録及び／又は再生用の開口部を開閉するシャッタ部と、このシャッタ部を移動操作するための移動操作部と、上記シャッタ部と上記移動操作部を連結する連結部とからなり、上記移動操作部は、上記ディスクカートリッジの一の側面に沿って移動して上記シャッタ部を移動操作することを特徴とする請求項１記載のディスクカートリッジ。
【請求項６】
上記記録媒体収納部の外周面に沿って円弧状をなすガイド溝が形成され、上記カートリッジ本体の一の側面に沿って上記円弧状をなすガイド溝になめらかに連続する直線状のガイド溝が形成され、上記第１のシャッタ部材の一端側に円弧状の立ち上がり部が形成され、この立ち上がり部と上記移動操作部が上記連結部を介して連結され、上記シャッタ部材は、上記円弧状立ち上がり部が上記円弧状のガイド溝内を移動し、上記移動操作部が上記直線状のガイド溝内を移動し、上記連結部が上記円弧状のガイド溝と上記直線状のガイド溝内を移動するように上記カートリッジ本体に支持されたことを特徴とする請求項５記載のディスクカートリッジ。
【請求項７】
上記移動操作部は、可撓性を有することを特徴とする請求項５記載のディスクカートリッジ。
【請求項８】
上記記録及び／又は再生用の開口部を閉塞する位置にある上記第１のシャッタ部材のシャッタ部の移動を規制するロック機構が設けられていることを特徴とする請求項５記載のディスクカートリッジ。
【請求項９】
上記ロック機構による上記シャッタ部の移動規制を解除する手段が上記移動操作部が移動する上記カートリッジ本体の一の側面に設けられていることを特徴とする請求項８記載のディスクカートリッジ。
【請求項１０】
上記ロック機構による上記シャッタ部の移動規制を解除する手段は、上記カートリッジ本体の一の側面に出没する第１の突起であり、上記移動操作部は上記カートリッジ本体の一の側面に沿って移動する第２の突起であり、上記第１及び第２の突起は、上記カートリッジ本体の一の側面に沿って形成された凹状の溝部内に位置されたことを特徴とする請求項９記載のディスクカートリッジ。
【請求項１１】
上記第１及び第２の突起は、当該ディスクカートリッジを記録及び／又は再生装置に挿入するとき、記録及び／又は再生装置への挿入側から第１の突起、第２の突起の順に配置されたことを特徴とする請求項１０記載のディスクカートリッジ。
【請求項１２】
上記カートリッジ本体は、上記媒体収納部の周面に、上記ガイド溝と連続して切り欠き部が形成され、
上記第１のシャッタ部材は、上記立ち上がり部に、上記切り欠き部から上記ガイド溝に亘って配され、上記切り欠き部を開閉する切り欠き開閉部が形成されていることを特徴とする請求項４記載のディスクカートリッジ。
【請求項１３】
上記切り欠き開閉部が階段状に形成されたことを特徴とする請求項１２記載のディスクカートリッジ。
【請求項１４】
上ハーフと下ハーフとを互いに突き合わせ結合したカートリッジ本体内にディスク状記録媒体を回転可能に収納したディスクカートリッジであり、
上記ディスク状記録媒体の信号記録領域の少なくとも内外周に亘って外方に臨ませる上記カートリッジ本体に設けられた記録及び／又は再生用の開口部と、
上記ディスク状記録媒体を回転駆動する回転駆動手段を進入させる上記カートリッジ本体に設けられた駆動用開口部と、
上記記録及び／又は再生用の開口部と上記駆動用開口部を開閉するシャッタ機構とを備え、
上記シャッタ機構は、主に上記記録及び／又は再生用の開口部を開閉する第１のシャッタ部材と、主に上記駆動用開口部を開閉する第２のシャッタ部材とを有し、上記第１のシャッタ部材は、上記記録及び／又は再生用の開口部を開閉するシャッタ部と、このシャッタ部を移動操作するための移動操作部と、上記シャッタ部と上記移動操作部を連結する連結部とからなり、上記移動操作部は、上記ディスクカートリッジの一の側面に沿って移動して上記シャッタ部を移動操作することを特徴とするディスクカートリッジ。
【請求項１５】
上記移動操作部が移動する上記カートリッジ本体の一の側面は、当該ディスクカートリッジの記録及び／又は再生装置に対する装脱方向と平行な面であることを特徴とする請求項１４記載のディスクカートリッジ。
【請求項１６】
上記移動操作部は、可撓性を有することを特徴とする請求項１４記載のディスクカートリッジ。
【請求項１７】
上記第１のシャッタ部材のシャッタ部と上記連結部は一体に形成されたことを特徴とする請求項１４記載のディスクカートリッジ。
【請求項１８】
上記第１のシャッタ部材の連結部と上記移動操作部は一体に形成されたことを特徴とする請求項１４記載のディスクカートリッジ。
【請求項１９】
上記記録及び／又は再生用の開口部と上記駆動用開口部を閉塞した位置にある上記シャッタ機構の移動を規制するロック機構が設けられていることを特徴とする請求項１４記載のディスクカートリッジ。
【請求項２０】
上記ロック手段による上記シャッタ機構のロックを解除する手段が、上記移動操作部が移動する上記カートリッジ本体の一の側面に設けられていることを特徴とする請求項１９記載のディスクカートリッジ。
【請求項２１】
上記ロック機構による上記シャッタ部の移動規制を解除する手段は、上記カートリッジ本体の一の側面に出没する第１の突起であり、上記移動操作部は上記カートリッジ本体の一の側面に沿って移動する第２の突起であり、上記第１及び第２の突起は、上記カートリッジ本体の一の側面に沿って形成された凹状の溝部内に位置されたことを特徴とする請求項２０記載のディスクカートリッジ。
【請求項２２】
上記第１及び第２の突起は、当該ディスクカートリッジを記録及び／又は再生装置に挿入するとき、記録及び／又は再生装置への挿入側から第１の突起、第２の突起の順に配置されたことを特徴とする請求項２１記載のディスクカートリッジ。
【発明の詳細な説明】
【０００１】
【発明の属する技術分野】
本発明は、光ディスクや光磁気ディスク等のディスク状記録媒体を収納し、ディスク状記録媒体とともに記録及び／又は再生装置に装着されるディスクカートリッジに関し、更に詳しくは、カートリッジ本体に設けられた開口部を開閉するシャッタ機構がカートリッジ本体に主面に沿って移動する２枚のシャッタ部材から構成されたディスクカートリッジに関する。
【０００２】
【従来の技術】
従来、光ディスクや光磁気ディスク、あるいは磁気ディスクを収納し、これらでとともに記録及び／又は再生装置に装着されるディスクカートリッジが広く用いられている。
【０００３】
この種のディスクカートリッジとして、米国特許第４，５１０，５４６号明細書や米国特許第４，８７６，６１９号明細書に記載されるようなものが知られている。
【０００４】
この明細書に記載されるディスクカートリッジは、矩形状をなすカートリッジ本体内に記録媒体としてのディスクを回転可能に収納している。カートリッジ本体には、収納した磁気ディスクの一部を内外周に亘って外方に臨ませる記録及び／又は再生用の開口部が設けられている。このカートリッジ本体には、カートリッジ本体の前面に沿って移動して記録及び／又は再生用の開口部を開閉する断面コ字状をなすシャッタ部材が取り付けられている。
【０００５】
カートリッジ本体に設けた開口部を開閉するシャッタ部材が設けられたディスクカートリッジは、記録及び／又は再生装置に装着されない保管時等の非使用状態において、開口部が常にシャッタ部材により閉塞された状態に置かれるので、ディスクカートリッジの取り扱い時に、不用意にディスクの記録面に手指を接触させて指紋を付着させたり、開口部を介して塵埃が侵入することを確実に防止し、ディスクの確実な保護を図ることができる。
【０００６】
また、情報記録媒体としてのディスクを収納したディスクカートリッジとして、米国特許第４，６１４，９９０号明細書に記載されるようなものが知られている。
【０００７】
この明細書に記載されるディスクカートリッジは、ディスクカートリッジの記録及び／又は再生装置への挿入方向と平行にシャッタ部材が設けられているので、ディスクカートリッジの記録及び／又は再生装置への挿入により、記録及び／又は再生装置側に設けたロック解除機構によりシャッタ部材のロックが記録及び／又は再生除されるとともに開口部を開放する方向への移動が行われるので、簡単な機構でシャッタ部材の開閉操作を行うことができる。
【０００８】
更に、情報記録媒体としてのディスクを収納したディスクカートリッジとして、米国特許第５，５７０，２５２号明細書に記載されるようなものが知られている。この明細書に記載されるディスクカートリッジは、ディスクを収納したカートリッジ本体の一の側面に開口部を設け、この開口部を介して磁気ヘッドをカートリッジ内に進入させて磁気ディスクの信号記録領域が形成された主面に摺設するようにしている。このディスクカートリッジにあっては、開口部を開閉するシャッタ部材は、カートリッジ本体の側面に沿って移動するように取り付けられている。
【０００９】
【発明が解決しようとする課題】
ところで、上記米国特許第４，５１０，５４６号明細書や米国特許第４，８７６，６１９号明細書にに記載されるディスクカートリッジは、シャッタ部材がカートリッジ本体の外方側の面に沿って移動するので、カートリッジ本体のシャッタ部材が移動する面に塵埃が塵埃が付着しやすく、シャッタ部材の移動によってこの塵埃をカートリッジ本体内に落とし込み、カートリッジ本体に収納したディスクを汚損させてしまうおそれがある。
【００１０】
また、シャッタ部材は、ディスクカートリッジの記録及び／又は再生装置への挿入方向と直交する方向に移動するので、シャッタ部材を開閉するために回動アーム等の複雑な開閉機構を設ける必要があり、記録及び／又は再生装置の機構が複雑になってしまう。
【００１１】
また、米国特許第４，６１４，９９０号明細書に記載されるディスクカートリッジも、シャッタ部材がカートリッジ本体の外方側の面に沿って移動するので、カートリッジ本体のシャッタ部材が移動する面に塵埃が塵埃が付着しやすく、シャッタ部材の移動によってこの塵埃をカートリッジ本体内に落とし込み、カートリッジ本体に収納したディスクを汚損させてしまうおそれがある。
【００１２】
さらに、米国特許第５，５７０，２５２号明細書に記載されるものは、カートリッジ本体の側面に設けた幅の狭い開口部を介して磁気ヘッドをカートリッジ本体内に挿入するようにしているので、用いる記録及び／又は再生機構に制約を受けてしまう。このディスクカートリッジは、光ピックアップ装置を用いる光ディスクを収納するものに適用することは極めて困難である。また、シャッタ部材も、幅が狭く、幅に比し長い開口部を開閉するように構成されているため、幅狭で長尺に形成されるため、安定した移動操作を行うことが困難である。
【００１３】
本発明の目的は、シャッタ部材の移動に関連してカートリッジ本体の外方側の面に付着する塵埃等がカートリッジ本体内に侵入することを確実に防止して、カートリッジ本体に収納したディスク状記録媒体の確実な保護を図ることができるディスクカートリッジを提供することにある。
【００１４】
本発明に他の目的は、ディスク状記録媒体を収納するカートリッジ本体の大きさに比し大きな記録及び／又は再生用の開口部を設け、大型の記録及び／又は再生機構を用いることを可能となすとともに、大きな開口部を確実に開閉することができるシャッタ機構を備えたディスクカートリッジを提供することにある。
【００１５】
本発明の他の目的は、カートリッジ本体に設けた開口部を確実に閉塞し、カートリッジ本体に収納したディスク状記録媒体の確実な保護を図ることができるディスクカートリッジを提供することにある。
【００１６】
更に本発明の目的は、ディスクカートリッジの薄型化を図り、このディスクカートリッジを用いる記録及び／又は再生装置の薄型化を図ることにある。
【００１７】
【課題を解決するための手段】
本発明に係るディスクカートリッジは、光ディスクや光磁気ディスク等のディスク状記録媒体を収納し、ディスク状記録媒体とともに記録及び／又は再生装置に装着されるディスクカートリッジであり、カートリッジ本体に設けられた開口部を開閉するシャッタ機構は、カートリッジ本体の主面に沿って移動する２枚のシャッタ部材を備える。カートリッジ本体の第１及び第２のシャッタ部材が移動する領域は、相対向して配設された第１及び第２の壁部とから構成され、第１及び第２のシャッタ部材は、第１及び第２の壁部間の空間に進入する。
【００１８】
このような構成を備えたディスクカートリッジにおいて、ディスク状記録媒体を回転可能に収納し、このディスク状記録媒体の主面に対向する部分に一定の間隔を隔て相対向して第１及び第２の壁部を設け、これら第１及び第２の壁部に相対向して、ディスク状記録媒体の信号記録領域の一部を内外周に亘って外方に臨ませる記録及び／又は再生用の開口部と、上記ディスク状記録媒体の中心部を外方に臨ませる駆動用開口部とが設けられたカートリッジ本体と、記録及び／又は再生用の開口部と駆動用開口部とを開閉する第１及び第２のシャッタ部材とを有し、第１及び第２のシャッタ部材が第１及び第２の壁部との間で移動するように配置したものである。
【００１９】
ここで、第１のシャッタ部材は、一端側がカートリッジ本体に形成された上記ディスク状記録媒体を回転可能に収納する円形をなす媒体収納部の外周部に近接した位置を沿って移動するように支持され、第２のシャッタ部材は、上記第１のシャッタ部材に設けた係合保持部に一部を係合保持させることによって、第１のシャッタ部材に相対関連して回動するようにカートリッジ本体に支持されている。
【００２０】
また、本発明は、上ハーフと下ハーフとを互いに突き合わせ結合したカートリッジ本体内にディスク状記録媒体を回転可能に収納したディスクカートリッジであり、ディスク状記録媒体の信号記録領域の少なくとも内外周に亘って外方に臨ませるカートリッジ本体に設けられた記録及び／又は再生用の開口部と、ディスク状記録媒体を回転駆動する回転駆動手段を進入させるカートリッジ本体に設けられた駆動用開口部と、記録及び／又は再生用の開口部と駆動用開口部を開閉するシャッタ機構とを備える。このディスクカートリッジに設けられるシャッタ機構は、主に記録及び／又は再生用の開口部を開閉する第１のシャッタ部材と、主に駆動用開口部を開閉する第２のシャッタ部材とを有し、第１のシャッタ部材は、記録及び／又は再生用の開口部及び駆動用開口部を開閉するシャッタ部と、このシャッタ部を移動操作するための移動操作部と、シャッタ部と移動操作部を連結する連結部とからなる。移動操作部は、ディスクカートリッジの一の側面に沿って移動してシャッタ部を移動操作し、各開口部を開閉する。
【００２２】
【発明の実施の形態】
以下、本発明に係るディスクカートリッジを図面を参照して説明する。
【００２３】
このディスクカートリッジ１は、ディスク状記録媒体として、オーディオ情報やビデオ情報などの情報の再記録を可能となす記録可能型、あるいはオーディオ情報やビデオ情報などの情報が予め記録された再生専用型の光ディスク２を収納したものであり、図１及び図２に示すように、上ハーフ３と下ハーフ４とにより構成されるカートリッジ本体５内に光ディスク２を回転可能に収納している。
【００２４】
カートリッジ本体５に収納される光ディスク２は、中心部にセンター孔６が設けられ、このセンター孔６を閉塞するようにして金属板などの磁性材料で形成されたハブ７が取り付けられている。この光ディスク２は、記録及び／又は再生装置側に設けられる回転駆動機構のディスクテーブルに載置され、ディスクテーブル側に設けられたマグネットによりハブ７が吸引されることにより、ディスクテーブルと一体に回転するように装着される。光ディスク２は、ディスクテーブルに装着されたとき、ディスクテーブルの中心に設けたセンタリング部がセンター孔６に係合することによって、ディスクテーブルの回転中心に回転中心を一致させるセンタリングが図られる。
【００２５】
光ディスク２を回転可能に収納するカートリッジ本体５は、図３に示すように、合成樹脂を成形して形成した略矩形状に形成された上ハーフ３と下ハーフ４とを突き合わせ結合して形成される。
【００２６】
カートリッジ本体５を構成する上ハーフ３は、周囲にカートリッジ本体５の周壁を構成する立ち上がり周壁８が形成されている。上ハーフ３の記録及び／又は再生装置への挿入端とされる前面部３ａは、一連に連続して湾曲された円弧状に形成されている。円弧状に形成された前面部３ａには、略中央に切り欠き部３ｂが形成される。この切り欠き部３ｂは、記録及び／又は再生装置に設けられた記録再生機構が進入する。上ハーフ３のの前面部３ａは、カートリッジ本体５の前面部ともなる。上ハーフ３の前面部３ａに直交する相対向する側面は、互いに平行な面とされ、前面部３ａに対向する背面側は、平坦な面として形成されている。このように、上ハーフ３の記録及び／又は再生装置への挿入端となる前面部３ａが円弧状に形成され、他の面と平坦な面として形成されることにより、記録及び／又は再生装置への挿入端を外観上容易に認識することができる。また、各側面を平坦な面とし、全体で矩形状とされた従来広く用いられているディスクカートリッジとの識別を容易に行うことができる。
【００２７】
このディスクカートリッジ１は、図１及び図２に示すように、カートリッジ本体５の前面部を構成する上ハーフ３の前面部３ａのみを円弧状の面として形成し、この前面部３ａに直交する相対向する側面を直線的で互いに平行な平坦な面としているので、これら側面を記録及び／又は再生装置に対する装脱時の挿入ガイド面とすることができ、安定した記録及び／又は再生装置側面を実現できる。
【００２８】
なお、カートリッジ本体５の円弧状の前面部に対向する背面部も円弧状の面とするようにしてもよい。この場合、背面部の円弧は、前面部３ａの円弧より大きくするようにして、ディスクカートリッジ１の前面側と背面側の識別を行うようにすることが望ましい。
【００２９】
ディスクカートリッジ１は、記録及び／又は再生装置への挿入端となる前面部３ａのみを円弧状の面としているので、ディスクカートリッジ１の平面形状を小さくでき、収納される光ディスク２の大きさに比し小型化を図ることができ、このディスクカートリッジ１を用いる記録及び／又は再生装置の小型化を図ることができる。
【００３０】
上ハーフ３の円弧状に形成された前面部３ａと対向する背面側の各コーナ部には、図２及び図３に示すように、記録及び／又は再生装置側に設けられる位置決め手段を構成する位置決めピンが係合する筒状に形成された位置決め部９が設けられている。この位置決め部９は、先端側を開放端とし、基端部側を上ハーフ３によって閉塞された構造とされている。
【００３１】
上ハーフ３に突き合わせられてカートリッジ本体５を構成する下ハーフ４は、図３に示すように、記録及び／又は再生装置への挿入端側の前面部４ａが上ハーフ３の前面部３ａに比して大きな曲率の円弧状である上ハーフ３の前面部３ａを構成する円弧の半径に比し小さな半径の円弧状に形成されている。なお、下ハーフ４の前面部４ａ以外の部分は、上ハーフ３に対応する形状に形成されている。すなわち、下ハーフ４の前面部４ａに直交する相対向する側面は、互いに平行な面とされ、前面部４ａに対向する背面側は、平坦な面として形成されている。
【００３２】
下ハーフ４の内方側の主面には、光ディスク２を収納する円形のディスク収納部１１を構成する円弧状の収納部形成壁１０が一体に立ち上がり形成されている。この収納部形成壁１０は、前面部４ａと同一の曲率をもって形成されている。この下ハーフ４の外周囲には、上ハーフ３の外周囲に立ち上がり形成したカートリッジ本体５の周壁を構成する立ち上がり周壁８に突き合わせられる立ち上がり周壁１２が形成されている。また、下ハーフ４の背面側の立ち上がり周壁１２と収納部形成壁１０とによって囲まれた略三角形状の領域には、上ハーフ３に設けられた位置決め部９が嵌合する嵌合孔１４が穿設されている。
【００３３】
この下ハーフ４には、図２及び図３に示すように、ディスク収納部１１に収納された光ディスク２の信号記録領域の一部を内外周に亘って外方に臨ませるとともに光ピックアップ装置などの記録及び／又は再生手段を臨ませる記録及び／又は再生用の開口部１５と、光ディスク２の中心部に設けたセンター孔６を外方に臨ませるとともに記録及び／又は再生装置側の回転駆動機構のターンテーブルを進入させるための駆動用開口部１６とが形成されている。このディスクカートリッジ１にあっては、記録及び／又は再生用の開口部１５と駆動用開口部１６は、一連に連続して形成されている。
【００３４】
なお、記録及び／又は再生用の開口部１５と駆動用開口部１６とを独立して設けるようにしてもよいが、この場合には、各開口部１５，１６に仕切となる連結部が設けられることになる。このような連結部が設けられると、光ディスク２の信号記録領域を走査する光ピックアップ装置等の記録及び／又は再生機構を光ディスク２内周側まで移動させることができなくなり、光ディスク２の記録容量を十分に確保することができなくなってしまうので、記録及び／又は再生用の開口部１５と駆動用開口部１６は、一連に連続して形成することが望ましい。
【００３５】
記録及び／又は再生用の開口部１５は、図３に示すように、ディスク収納部１１の中央部近傍から下ハーフ４の前面部４ａに亘って略矩形状に形成されている。この開口部１５は、駆動用開口部１６に連続され、下ハーフ４の前面部４ａ側を開放して形成されている。また、駆動用開口部１６は、ディスク収納部１１の中央部に位置して略円形に形成されている。この駆動用開口部１６の内周面側の周囲には、ディスク収納部１１に収納される光ディスク２のセンター孔６の周囲を支持するディスク支持部１６ａが形成される。
【００３６】
カートリッジ本体５は、上述したように下ハーフ４の前面部３ａが上ハーフ３の前面部３ａの曲率より大きな曲率で形成されているため、これら上下ハーフ３，４を互いに突き合わせたとき、図４に示すように、前面部側のコーナ部に上ハーフ３の前面側のコーナ部が突出する。上ハーフ３の下ハーフ４から突出した部分に形成される立ち上がり周壁８は、カートリッジ本体５の厚さ分に相当する高さに形成されている。
【００３７】
カートリッジ本体５の前面部に直交する一方の側面には、図２に示すように、シャッタ開閉部材係合溝１７が設けられている。シャッタ開閉部材係合溝１７は、上ハーフ３と下ハーフ４とが突き合わされることにより、上ハーフ３の立ち上がり周壁８に形成した溝部１７ａと下ハーフ４の立ち上がり周壁１２に形成した凹部１７ｂと突き合わせられて一本の溝として形成される。シャッタ開閉部材係合溝１７は、ディスクカートリッジ１が記録及び／又は再生装置に挿入された際、記録及び／又は再生装置側に設けられるシャッタ開閉機構を構成するシャッタ開閉部材が係合して移動する。シャッタ開閉部材係合溝１７には、後述するロック部材３０の一部が突出する貫通孔１８が穿設されている。
【００３８】
また、カートリッジ本体５を構成する上ハーフ３の前面部３ａ側には、下ハーフ４の前面部４ａと同一曲率の内壁１９が形成されている。この内壁１９は、上下ハーフ３，４を突き合わせたとき、図４及び図５に示すように、下ハーフ４側に設けられた円弧状の収納部形成壁１０の外周側に沿って下ハーフ４の内面に突き合わせられる。そして、上ハーフ３の内壁１９と下ハーフ４の周壁１０との間には、図４及び図５に示すように、後述するシャッタ機構２３の第１のシャッタ部材２５の開閉動作をガイドするシャッタガイド溝２０が形成される。
【００３９】
そして、カートリッジ本体５の前面部側のコーナ部には、図４に示すように、上ハーフ３の立ち上がり周壁８と内壁１９とに囲まれた一対の略三角形状をなす領域が形成される。カートリッジ本体５に設けられるシャッタ開閉部材係合溝１７が位置する側の領域には、図４に示すように、ロック部材３０を回動自在に支持するための支軸２１が突設され、他方の領域には、カバー部材３８を支持するカバー部材支持突起２２が形成される。
【００４０】
カートリッジ本体３８を構成する下ハーフ４の底面側には、図４及び図５に示すように、記録及び／又は再生用の開口部１５と駆動用開口部１６を開閉するシャッタ機構２３が配置される凹状をなすシャッタ配置部２４が設けられている。シャッタ配置部２４は、シャッタ機構２３が記録及び／又は再生用の開口部１５と駆動用開口部１６を開閉する際に摺動する範囲に亘って形成されている。
【００４１】
シャッタ配置部２４に配置されるシャッタ機構２３は、記録及び／又は再生用の開口部１５を開閉する第１のシャッタ部材２５と、駆動用開口部１６を開閉する第２のシャッタ部材２６とにより構成されている。第１のシャッタ部材２５と第２のシャッタ部材２６とは、シャッタ配置部２４内において同一平面上に配置されている。なお、シャッタ機構２３は、第１のシャッタ部材２５が主に記録及び／又は再生用の開口部１５を開閉し、第２のシャッタ部材２６が主に駆動用開口部１６を開閉する、例えばいずれか一方のシャッタ部材が、他方のシャッタ部材が開閉する開口部の一部にかかるように進入して記録及び／又は再生用の開口部１５と駆動用開口部１６とを開閉するものであってもよい。
【００４２】
第１のシャッタ部材２５は、合成樹脂や金属板によって形成され、図３に示すように、平板状に形成されたシャッタ部２５ａと、このシャッタ部２５ａの一側に垂直に立ち上がり形成された移動ガイド部２５ｂと、移動ガイド部２５ｂの一端側から突設された操作部２５ｃとにより構成されている。第１のシャッタ部材２５は、図４及び図５に示すように、シャッタ部２５ａが下ハーフ４に形成されたシャッタ配置部２４に位置させ、移動ガイド部２５ｂと操作部２５ｃとをシャッタガイド溝２０に位置させてカートリッジ本体５に取り付けられる。シャッタ部２５ａは、記録及び／又は再生用の開口部１５を閉塞するに足る大きさを有する略台形状に形成され、一側に下ハーフ４の前面部４ａと同一の曲率の円弧状部が形成されている。このシャッタ部２５ａは、ディスク収納部１１の中心を仮想の中心として図４中矢印Ａ1方向及び矢印Ａ2方向に回動して記録及び／又は再生用の開口部１５を開閉する。
【００４３】
シャッタ部２５ａは、円弧状部となされた一側と対向する側縁が第２のシャッタ部材２６と当接する。この第２のシャッタ部材２６と当接する側縁には、第２のシャッタ部２６の一側と互いに重なり合うオーバーラップ部２５ｅが設けられている。なお、このオーバーラップ部２５ｅは、第２のシャッタ部材２６側に設けてもよい。このシャッタ部２５ａには、その主面、すなわちシャッタ配置部２４と対向する面側に、シャッタ部２５ａの移動位置を規制する軸状のガイド突起２７が突設されている。このガイド突起２７は、第２のシャッタ部材２６と当接する一側に面して設けられ、シャッタ部２５ａの一部に一定の厚みを保持することによって、第１のシャッタ部材２５と第２のシャッタ部材２６とが開閉動作された際にずれて重なり合わないようにする。
【００４４】
移動ガイド部２５ｂは、シャッタ部２５ａの一側に形成した円弧状部に沿ってシャッタ部２５ａに対して略垂直に立ち上がり形成されている。この移動ガイド部２５ｂは、シャッタガイド溝２０と同一曲率の円弧状に形成され、シャッタガイド溝２０内を図４中矢印Ａ1方向及び矢印Ａ2方向に移動可能に配設される。移動ガイド部２５ｂは、図２に示すように、シャッタ部２５ａの円弧状部よりさらに長くシャッタガイド溝２０の一端近くまで達する長さに形成され、第１のシャッタ部材２５が一定以上図４中矢印Ａ2方向に移動しないように移動を規制する。また、移動ガイド部２５ｂには、シャッタ機構２３が開放された際に、光ピックアップ等の記録再生機構が進入する凹部２５ｄが設けられる。
【００４５】
移動ガイド部２５ｂは、図１に示すようにシャッタ機構２３が閉塞されている際にはカートリッジ本体５の前面部に形成された切り欠き部３ｂを閉塞し、図８に示すようにシャッタ機構２３が開放された際には凹部２５ｄが切り欠き部３ｂの位置まで移動して、光ディスク２を外方に対して臨ませる開口を前面部に形成する。すなわち、ディスクカートリッジ１は、シャッタ機構２３が閉塞している場合の図２示す高さＨ１に比して、シャッタ機構２３が開放された場合の図８に示す高さＨ２が低くなるように構成される。ディスクカートリッジ１は、凹部２５ｄを設けることにより、記録及び／又は再生装置に設けられた記録再生機構を光ディスク２に対して近接させて移動させることができ、このように光ディスク２と記録再生機構との距離を縮めることにより、このディスクカートリッジ１を用いる記録及び／又は再生装置の薄型化を達成することができる。
【００４６】
また、第１のシャッタ部材２５に設けられる操作部２５ｃは、弾性を有するあるいは可撓性を有する部材により形成され、移動ガイド部２５ｂに比して薄く形成される。この操作部２５ｃは、図４に示すように、移動ガイド部２５ｂと同様にシャッタガイド溝２０内に配設されるとともに、先端部分がシャッタ開閉部材係合溝１７内に突出している。操作部２５ｃは、シャッタ開閉部材係合溝１７に露出している先端部分に操作用突部２８が形成されている。操作部２５ｃは、操作用突部２８がシャッタ開閉部材係合溝１７を移動する記録及び／又は再生装置側に設けられるシャッタ操作機構のシャッタ開閉部材に係合し、このシャッタ開閉部材により図４中矢印Ｃ1方向に押圧されることにより、シャッタ開閉部材係合溝１７内に引き出される。この操作部２５ｃの中途部には、シャッタ係止孔２９が穿設される。シャッタ係止孔２９には、上ハーフ３の立ち上がり周壁８と内壁１９との間に構成された領域に構成された略三角形状の凹部に配設され支軸２１に回動自在に支持されたロック部材３０のロック爪３０ａが係合する。第１のシャッタ部材２５は、操作部２５ｃのシャッタ係止孔２９にロック部材３０のロック爪３０ａが係合することにより開閉動作が規制される。
【００４７】
操作部２５ｃは、弾性を有するあるいは可撓性を有する部材によって形成されていることにより、図４に示すように直線及び曲線を組み合わせた形状の導路を有するシャッタガイド溝２０に沿って、変形しながら円滑に移動することができる。
【００４８】
ロック部材３０は、ロック爪３０ａと、シャッタ開閉部材係合溝１７に設けられた貫通孔１８から一部が突出するロック解除レバー３０ｂと、ロック部材３０を図４中矢印Ｄ方向、すなわちロック爪３０ａの先端をシャッタ係止孔２９に係合させる方向に付勢する板バネ等の弾性体３０ｃとを備えている。
【００４９】
第２のシャッタ部材２６は、図３及び図４に示すように、第１のシャッタ部材２５と同様に、合成樹脂や薄い金属板によって駆動用開口部１６を閉塞するに大きさを有する略扇形に形成されている。第２のシャッタ部材２６は、第１のシャッタ部材２５のガイド突起２７が当接し且つ移動する範囲に亘って補強部３１が形成されている。この補強部３１は、第１のシャッタ部材２５との接触面積を大きくすることにより、確実に第２のシャッタ部材２６の開閉動作を行えるようにする。第２のシャッタ部材２６には、一端近傍に下ハーフ４に穿設された係合孔３２に係合する係合ピン３３が設けられている。第２のシャッタ部材２６は、係合ピン３３を中心として図４中矢印Ｂ1及び矢印Ｂ2方向に移動して駆動用開口部１６を開閉する。
【００５０】
第２のシャッタ部材２６は、図４に示すように、下ハーフ４の凹部に配設された捻りコイルバネ３４によって図４中矢印Ｂ2方向に回動付勢されている。捻りコイルバネ３４は、係合孔３２に挿通され下ハーフ４の略三角形状の凹部内に突出する係合ピン３３が係合する環状のコイル部３４ａと、コイル部３４ａから延長され且つ弾性を有する第１のアーム部３４ｂとこのアーム部３４ｂより長い第２のアーム部３４ｃとにより構成されている。捻りコイルバネ３４は、第２のアーム３４ｃの先端が下ハーフ４に固定されるとともに、第１のアーム部３４ｂが第２のシャッタ部材２６の係合ピン３３に隣接して設けられ且つ下ハーフ４に形成された扇型の長孔３５に挿通されて下ハーフ４の略三角形状の凹部内に突出するコイルバネ押圧ピン３６に当接している。
【００５１】
シャッタ機構２３は、図４及び図６に示すように、第１のシャッタ部材２５と第２のシャッタ部材２６との開閉動作が行われると、シャッタ機構２３の表面に突出されたガイド突起２７及び補強部３１の位置がそれぞれ変位するので、カートリッジ本体５には、下ハーフ４のガイド突起２７と補強部３１との位置が変位する範囲に亘ってシャッタガイド孔３７が形成されている。
【００５２】
上ハーフ３と下ハーフ４とが突き合わされ熱溶着法あるいは接着剤を用いて接合されカートリッジ本体５を形成し、カートリッジ本体５に設けたシャッタ配置部２４にシャッタ機構２３が配設されると、カートリッジ本体５の底面側、すなわち下ハーフ４のシャッタ配置部２４が形成された側にカバー部材３８が取り付けられる。カバー部材３８は、記録及び／又は再生用の開口部１５と駆動用開口部１６とに該当する部分が切り欠かれているとともに、上ハーフ３に設けられた位置決め部９に対応する位置に位置決め部９の開口端を外方に臨ませる孔部３９が形成されている。カバー部材３８は、シャッタ配置部２４に配設されたシャッタ機構２３を保持し且つカートリッジ本体５内に塵埃等が侵入することを防止する。なお、カバー部材３８は、カートリッジ本体５に接着剤等を用いて取り付けられる。ディスクカートリッジ１では、第１の開口として下ハーフ４に記録及び／又は再生用の開口部１５及び駆動用開口部１６を、第２の開口としてカバー部材３８に切り欠きを設けて、光ディスク２の記録領域センター孔６を外方に臨ませる開口部とされる。
【００５３】
ところで、従来、広く用いられているディスクカートリッジに設けられるシャッタ部材は、カートリッジ本体の外方側に取り付けられ、カートリッジ本体の外方側の面に沿って移動するので、シャッタ部材の移動時に、カートリッジ本体の外方側の面に付着された塵埃をシャッタ部材の裏面に付着させ、ディスク収納部内に落としてしまう。
【００５４】
これに対し、本発明に係るディスクカートリッジ１は、カートリッジ本体５を構成する下ハーフ４の外方側の面によって構成させる内壁とこの内壁に重ね合わせるように配設される外壁を構成するカバー部材３８との間に構成される収納空間内に第１及び第２のシャッタ部材２５，２６を配置しているので、これらシャッタ部材２５，２６が移動する際に、カートリッジ本体５の外方側の面に付着する塵埃をシャッタ部材２５，２６に付着させることがない。すなわち、第１及び第２のシャッタ部材２５，２６は、塵埃が付着しやすいカートリッジ本体５の外方側の面を移動することがなく、実質的にカートリッジ本体５の内部を移動するので、カートリッジ本体５の外方側の面に付着する塵埃を光ディスク２が収納されるカートリッジ収納部１１内に侵入することを確実に防止し、カートリッジ本体５に収納した光ディスク２の確実な保護を図ることができる。
【００５５】
なお、第１及び第２のシャッタ部材２５，２６が配置される部分は、カートリッジ本体５の下方側の主面を構成するので、下ハーフ４とカバー部材３８によって構成される空間を大きくすることができない。この空間を大きくすると、カートリッジ本体５が厚くなってしまう。本発明に係るディスクカートリッジ１は、上ハーフ３の内壁１９と下ハーフ４の周壁１０との間に構成されるシャッタガイド溝２０に沿って移動ガイド部２５ｂを移動させてシャッタ部２５ａを回動するようにしているので、シャッタ部２５ａの回動中心に支軸を設ける必要がなくなるので、カートリッジ本体５の底部にシャッタ部材２５，２６を収納する空間を設けてもカートリッジ本体５の底部を薄くでき、カートリッジ本体５の厚さを厚くすることもない。
【００５６】
本発明に係るディスクカートリッジ１は、図７に示すように、シャッタ配置部２４の外側、すなわちシャッタ機構２３の移動領域外で且つカートリッジ本体５の４つのコーナ部に、記録及び／又は再生装置側に設けられる位置決め手機構を構成する高さ方向と水平方向の位置決めを図る位置決めピン及び高さ方向の位置決めを図る高さ位置決めピンによって支持されるカートリッジ支持部４０が構成されている。そして、カートリッジ本体５の背面側のコーナ部に構成されたカートリッジ支持部４０には、前述したように、位置決めピンが係合する位置決め部９が設けられ、カートリッジ本体５の前面側のコーナ部に設けられたカートリッジ支持部４０は、平坦な面のままとされ、高さ位置決めピンによって支持される部分となされている。特に、本発明に係るディスクカートリッジ１は、カートリッジ本体５の記録及び／又は再生装置への挿入側となる前面部が、下ハーフ４側に設けられるディスク収納部１１の円弧より大きな半径を有する一連の円弧状に形成されているので、ディスク収納部１１とカートリッジ本体５の前面部により囲まれた領域を大きくすることができるので、この大きな領域を記録及び／又は再生装置側に設けた位置決め支持機構を構成する高さ位置決めピンによって支持されるカートリッジ支持部４０とすることにより、記録及び／又は再生装置内に設けた高さ位置決めピンによって安定した状態で確実に位置決めして支持することができる。
【００５７】
なお、本発明に係るディスクカートリッジ１は、光ディスク２を収納するディスク収納部１１が構成される部分にシャッタ部材２５，２６を収納するための空間を構成している。この空間を構成するため、下ハーフ５及びカバー部材３８のディスク収納部１１に対応する部分は肉薄に形成されている。また、シャッタ部材２５，２６を収納するための空間を構成する部分が押圧変形されると、この空間が狭められ円滑なシャッタ部材２５，２６の移動を保証することができない。
【００５８】
本発明に係るディスクカートリッジ１は、カートリッジ本体５の前面部のコーナ部にディスク収納部１１が構成されることがなく、しかも、シャッタ部材２５，２６の移動する領域ともならない大きな領域を構成し、この部分をカートリッジ支持部４０としているので、シャッタ部材２５，２６をカートリッジ本体５の底部に沿って移動するように構成し、更にカートリッジ本体５の底部にシャッタ部材２５，２６を収納する空間を設けても、シャッタ部材２５，２６の円滑な移動を保証しながら、記録及び／又は再生装置内に設けた高さ位置決めピンによって安定した状態で確実に高さ方向の位置決めを図って支持することができる。
【００５９】
上述のように構成されたディスクカートリッジ１を記録及び／又は再生装置に挿入され、その後、記録及び／又は再生装置から排出される場合の動作を図面を参照して説明する。
【００６０】
ディスクカートリッジ１は、非使用状態、すなわち記録及び／又は再生装置内に装着されない保管状態においては、図４に示すように第１のシャッタ部材２５は主に記録及び／又は再生用の開口部１５を閉塞した位置に置かれ、第２のシャッタ部材２６は主に駆動用開口部１６を閉塞した位置に置かれている。このディスクカートリッジ１は、ロック部材３０のロック爪３０ａがシャッタ係止孔２９に係合することにより開閉動作が規制された第１のシャッタ部材２５に当接しているため、第１及び第２のシャッタ部材２５，２６は、このロックを解除しない限り移動が規制された状態にある。また、ディスクカートリッジ１は、非使用状態においては、図２に示すように、第１のシャッタ部材２５の移動ガイド部２５ｂにより、前面部３ａに形成された切り欠き部３ｂが閉塞されている。
【００６１】
ディスクカートリッジ１は、記録及び／又は再生装置に装着された状態において、記録及び／又は再生装置内に配設された位置決め機構を構成する水平方向及び高さ方向の装着位置を位置決めする位置決めピンが位置決め部９に設けた係合孔に係合するとともにこの位置決め部９の周部を支持し、さらに、高さ位置決めピンがカートリッジ本体５の前面部側の両側のコーナ部に設けた平坦なカートリッジ支持部４０，４０を支持することにより、水平方向及び高さ方向の位置決めが図られて記録及び／又は再生装置内に装着される。
【００６２】
ディスクカートリッジ１が記録及び／又は再生装置に挿入されると、記録及び／又は再生装置側に設けたシャッタ操作機構のシャッタ開閉部材がカートリッジ本体５の一側に設けたシャッタ開閉部材係合溝１７に係合し、貫通孔１８を介してシャッタ開閉部材係合溝１７に突出したロック部材３０のロック解除レバー３０ｂが図４中矢印Ｃ1方向に押圧される。ロック部材３０は、支軸２１に回動自在に支持されているため、ロック解除レバー３０ｂが図４中矢印Ｃ1方向に押圧されるとロック爪３０ａの先端が図４中反矢印Ｄ方向に回動してシャッタ係止孔２９から外れる。第１のシャッタ部材２５は、ロック爪３０ａの先端がシャッタ係止孔２９から外れると係止状態が解除される。
【００６３】
ディスクカートリッジ１が更に記録及び／又は再生装置内に挿入されると、シャッタ開閉部材がシャッタ開閉部材係合溝１７を図４中矢印Ｃ1方向に更に移動し、シャッタ開閉部材係合溝１７内に突出した第１のシャッタ部材２５の操作部２５ｃに設けた操作用突部２８にシャッタ開閉部材が係合する。操作用突部２８がシャッタ開閉部材に係合されると、操作部２５ｃがシャッタ開閉部材係合溝１７内に引き出される。図４に示すように、操作部２５ｃがシャッタ開閉部材係合溝１７内に引き出されると、図６及び図８に示すように、第１のシャッタ部材２５が回動されて記録及び／又は再生用の開口部１５が開放される。また、ディスクカートリッジ１においては、図８に示すように、記録及び／又は再生用の開口部１５が開放されると、移動ガイド部２５ｂに設けられた凹部１５ｄが記録及び／又は再生装置に設けられる光ピックアップ等の記録再生機構が進入する切欠き部３ｂに位置して、カートリッジ本体５の前面部を開放する。ディスクカートリッジ１は、切り欠き部３ｂを開放することにより光ディスク２に対して記録及び／又は再生装置の記録再生機構を近接させて進入させることができる。
【００６４】
上述したように、第１のシャッタ部材２５が記録及び／又は再生用の開口部１５を開放する方向に回動されると、第１のシャッタ部材２５の回動に伴って位置を変位させるガイド突起２７によって第２のシャッタ部材２６が捻りコイルバネ３４の付勢力に抗して図６中矢印Ｂ1方向に係合ピン３３を中心として回動する。第２のシャッタ部材２６は、第１のシャッタ部材２５の回動が規制される位置まで回動されると、図６及び図８に示すように、駆動用開口部１６を開放する。
【００６５】
ディスクカートリッジ１は、記録及び／又は再生用の開口部１５及び駆動用開口部１６が開放される位置まで記録及び／又は再生装置内に挿入されると、上述したように、位置決め機構によって位置決め支持されて記録及び／又は再生装置内のカートリッジ装着部に装着され、光ディスク２を回転駆動機構のディスクテーブル上に装着される。ここで、回転駆動機構を駆動し、光ディスク２を回転駆動するとともに光ピピックアップ装置等の記録再生機構を駆動させることによって、光ディスクへの情報信号の記録が行われ、又は光ディスク２に記録された情報信号の再生が行われる。
【００６６】
光ディスク２への情報信号の記録が終了し、あるいは光ディスクに記録された情報信号の再生が終了した後、ディスクカートリッジ１を記録及び／又は再生装置からイジェクトするには、イジェクト機構を操作してシャッタ操作機構のシャッタ開閉部材を図６中矢印Ｃ2方向に移動させると、操作用突部２８がシャッタ開閉部材に押圧操作されて同方向に移動され、第１のシャッタ部材２５が記録及び／又は再生用の開口部１５を閉塞する図６中矢印Ａ2方向に回動される。第１のシャッタ部材２５が開口部１５を閉塞する方向に回動されると、第２のシャッタ部材２６も捻りコイルバネ３４の付勢力を受けて図６中矢印Ｂ2方向に回動して駆動用開口部１６を閉塞する。
【００６７】
第１のシャッタ部材２５が図４に示す初期位置に復帰すると、操作部２５ｃに形成されたシャッタ係止孔２９内にロック部材３０のロック爪３０ａが再度係合し、記録及び／又は再生用の開口部１５を閉塞した図２及び図４に示す位置に保持される。第１のシャッタ部材２５が開口部１５を閉塞した位置に回動されると、第１のシャッタ部材２５に当接する第２のシャッタ部材２６も捻りコイルバネ３４の付勢力に抗して係止状態となり記録及び／又は再生用の開口部１５及び駆動用開口部１６が閉塞状態となる。
【００６８】
ところで、本発明に係るディスクカートリッジ１に設けられるシャッタ機構２３は、第１及び第２のシャッタ部材２５，２６により記録及び／又は再生用の開口部１５及び駆動用開口部１６を開閉する構成とされている。第１及び第２のシャッタ部材２５，２６は、開口部１５及び駆動用開口部１６を閉塞する位置に回動されたとき、突き当て部に隙間が発生しないようにオーバーラップするように構成されている。この例では、第１のシャッタ部２５の一側に、図８に示すように段差部２５ｆが設けられ、第１及び第２のシャッタ部材２５，２６が開口部１５及び駆動用開口部１６を閉塞する位置に回動されたとき、図２に示すように、段差部２５ｆ上に第２のシャッタ部材２６の一部が重ね合わせられ、開口部１５及び駆動用開口部１６を完全に閉塞する。このように第１及び第２のシャッタ部材２５，２６の一部がオーバーラップして開口部１５及び駆動用開口部１６が閉塞されるので、第１及び第２のシャッタ部材２５，２６の突き当て部を介して塵埃がカートリッジ本体５内に侵入することを確実に防止することができる。
【００６９】
このディスクカートリッジ１は、記録及び／又は再生用の開口部１５及び駆動用開口部１６は、分割されカートリッジ本体５に主面を構成する底部に沿って回動する第１及び第２のシャッタ部材２５，２６により開閉されるので、カートリッジ本体５の大きさに比し大きく形成することができる。すなわち、記録及び／又は再生用の開口部１５及び駆動用開口部１６は、カートリッジ本体の一側面に沿って移動するシャッタ部材により開閉される従来のディスクカートリッジに設けられる開口部よりも大きなものとすることができるので、対物レンズを複数備えるような大型の光ピックアップ装置を備えた記録及び／又は再生装置の記録媒体と用いることができる。
【００７０】
さらに、記録及び／又は再生用の開口部１５及び駆動用開口部１６は、ディスクカートリッジ１の記録及び／又は再生装置への挿入方向に沿って設けられているので、ディスクカートリッジの挿入方向に沿って回転駆動機構及び光ピックアップ装置等の記録及び／又は再生手段を直列に配置した記録及び／又は再生装置に容易に装着可能な構成とすることがでる。
【００７１】
また、本発明に係るディスクカートリッジ１は、記録及び／又は再生装置に対して着脱される方向に操作部２５ｃが操作されることによって、第１及び第２のシャッタ部材２５，２６が連携して開閉動作する。したがって、記録及び／又は再生装置は、ディスクカートリッジ１のシャッタ機構２３を開放するためのシャッタ開閉部材として、例えば棒状のピンを着脱口に向けて備えるだけでよく、ディスクカートリッジ１のためのローディング機構を簡略化することができる。
【００７２】
さらに、本発明に係るディスクカートリッジ１は、カートリッジ本体５の側面に延設された操作部２５ｃによってシャッタ機構２３の開閉操作が行われるので、カートリッジ本体５の前面部の形状がシャッタ機構２３によって制限を受けることがない。したがって、上述した説明ではカートリッジ本体５の前面部が円弧状に形成されているとしたが、このカートリッジ本体５の前面部は、収納する光ディスク２に干渉しない範囲で自由な形状で形成することができる。
【００７３】
なお、本発明に係るディスクカートリッジ１においては、第１のシャッタ部材２５のシャッタ部２５ａ、移動ガイド部２５ｂ及び操作部２５ｃを同一の材料により一体に形成してもよいし、それぞれを別の材料によって形成して組み合わせてもよい。また、例えば、シャッタ部２５ａと移動ガイド部２５ｂとを同一の材料により一体に形成し、操作部２５ｃを別の材料によって形成して組み合わせてもよい。すなわち、第１のシャッタ部材２５は、シャッタ部２５ａ、移動ガイド部２５ｂ及び操作２５ｃを、それぞれに要求される可撓性や耐久性等の物理的特性に応じて、適切な材料によって形成することができる。
【００７４】
さらに、本発明に係るディスクカートリッジ１は、下ハーフ４に記録及び／又は再生開口部１５と駆動用開口部１６とが形成されるとしたが、例えば、上ハーフ３にも同様な開口部を形成し、シャッタ機構２３を上ハーフ３にも設けるようにしてもよい。
【００７５】
次に、本発明に係るディスクカートリッジの他の例を説明する。
【００７６】
このディスクカートリッジ５０は、図９に示すように、上ハーフ５２と下ハーフ５３とにより構成されるカートリッジ本体５４内に光ディスク５１を回転可能に収納している。
【００７７】
カートリッジ本体５４に収納される光ディスク５１は、中心部にセンター孔５５が設けられ、このセンター孔５５を閉塞するようにして金属板などの磁性材料で形成されたハブ５１ａが取り付けられている。この光ディスク５１は、記録及び／又は再生装置側に設けられる回転駆動機構のディスクテーブルに載置され、ディスクテーブル側に設けられたマグネットによりハブ５１ａが吸引されることにより、ディスクテーブルと一体に回転するように装着される。光ディスク５１は、ディスクテーブルに装着されたとき、ディスクテーブルの中心に設けたセンタリング部がセンター孔５５に係合することによって、ディスクテーブルの回転中心に回転中心を一致させるセンタリングが図られる。
【００７８】
光ディスク５１を回転可能に収納するカートリッジ本体５４は、図９に示すように、合成樹脂を成形して形成した略矩形状に形成された上ハーフ５２と下ハーフ５３とを突き合わせ結合して形成される。
【００７９】
カートリッジ本体５４を構成する上ハーフ５２は、周囲にカートリッジ本体５４の周壁を構成する立ち上がり周壁５６が形成されている。上ハーフ５２の記録及び／又は再生装置への挿入端とされる前面部５２ａは、一連に連続して湾曲された円弧状に形成されている。この前面部５２ａは、カートリッジ本体５４の前面部ともなる。上ハーフ５２の前面部５２ａに直交する相対向する側面は、互いに平行な面とされ、前面部５２ａに対向する背面側は、平坦な面として形成されている。このように、上ハーフ５２の記録及び／又は再生装置への挿入端となる前面部５２ａが円弧状に形成され、他の面と平坦な面として形成されることにより、記録及び／又は再生装置への挿入端を外観上容易に認識することができる。また、各側面を平坦な面とし、全体で矩形状とされた従来広く用いられているディスクカートリッジとの識別を容易に行うことができる。
【００８０】
このディスクカートリッジ５０は、カートリッジ本体５４の前面部を構成する上ハーフ５２の前面部５２ａのみを円弧状の面として形成し、この前面部５２ａに直交する相対向する側面を直線的で互いに平行な平坦な面としているので、これら側面を記録及び／又は再生装置に対する装脱時の挿入ガイド面とすることができ、安定した記録及び／又は再生装置側面を実現できる。
【００８１】
ディスクカートリッジ５０は、記録及び／又は再生装置への挿入端となる前面部５２ａのみを円弧状の面としているので、ディスクカートリッジ５０の平面形状を小さくでき、収納される光ディスク５２の大きさに比し小型化を図ることができ、このディスクカートリッジ５０を用いる記録及び／又は再生装置の小型化を図ることができる。
【００８２】
上ハーフ５２の円弧状に形成された前面部５２ａと対向する背面側の各コーナ部には、図９に示すように、記録及び／又は再生装置側に設けられる位置決め手段を構成する位置決めピンが係合する筒状に形成された位置決め部５７が設けられている。この位置決め部５７は、先端側を開放端とし、基端部側を上ハーフ５２によって閉塞された構造とされている。
【００８３】
上ハーフ５２に突き合わせられてカートリッジ本体５４を構成する下ハーフ５３は、図９に示すように、記録及び／又は再生装置への挿入端側の前面部５３ａが上ハーフ５２の前面部５３ａに比して大きな曲率の円弧状である上ハーフ５２ａの前面部５２ａを構成する円弧の半径に比し小さな半径の円弧状に形成されている。なお、下ハーフ５３の前面部５３ａ以外の部分は、上ハーフ５２に対応する形状に形成されている。すなわち、下ハーフ５３の前面部５３ａに直交する相対向する側面は、互いに平行な面とされ、前面部５３ａに対向する背面側は、平坦な面として形成されている。
【００８４】
下ハーフ５３にの内方側の主面には、光ディスク５１を収納する円形のディスク収納部５９を構成する円弧状の収納部形成壁５８が一体に立ち上がり形成されている。この立ち上がり周壁５８は、前面部５３ａと同一の曲率をもって形成されている。この下ハーフ５３の外周囲には、上ハーフ５２の外周囲に立ち上がり形成したカートリッジ本体５４の周壁を構成する立ち上がり周壁５６に突き合わせられる立ち上がり周壁６０が形成されている。また、下ハーフ５３の背面側の立ち上がり周壁６０と収納部形成壁５８とによって囲まれた略三角形状の領域には、上ハーフ３に設けられた位置決め部５７が嵌合する嵌合孔６１が穿設されている。
【００８５】
この下ハーフ５３には、図９に示すように、ディスク収納部５９に収納された光ディスク５１の信号記録領域の一部を内外周に亘って外方に臨ませるとともに光ピックアップ装置などの記録及び／又は再生手段を臨ませる記録及び／又は再生用の開口部６２と、光ディスク５１の中心部に設けたセンター孔５５を外方に臨ませるとともに記録及び／又は再生装置側の回転駆動機構のターンテーブルを進入させるための駆動用開口部６３とが形成されている。このディスクカートリッジ５０にあっては、記録及び／又は再生用の開口部６２と駆動用開口部６３は、一連に連続して形成されている。
【００８６】
記録及び／又は再生用の開口部６２は、図９に示すように、ディスク収納部５９の中央部近傍から下ハーフ５３前面部５３ａに亘って略矩形状に形成されている。この開口部５２は、駆動用開口部６３に連続され、下ハーフ５３の前面部５３ａ側を開放して形成されている。また、駆動用開口部６３は、ディスク収納部５９の中央部に位置して略円形に形成されている。この駆動用開口部６３の内周面側の周囲には、ディスク収納部５９に収納される光ディスク５１のセンター孔５５の周囲を支持するディスク支持部６３ａが形成される。
【００８７】
カートリッジ本体５４は、上述したように下ハーフ５３の前面部５３ａが上ハーフ５２の前面部５２ａの曲率より大きな曲率で形成されているため、これら上下ハーフ５２，５３を互いに突き合わせたとき、図１０に示すように、前面部側のコーナ部に上ハーフ５２の前面側のコーナ部が突出する。上ハーフ５２の下ハーフ５３から突出した部分に形成される立ち上がり周壁５６は、カートリッジ本体５４の厚さ分に相当する高さに形成されている。
【００８８】
カートリッジ本体５４の前面部に直交する一方の側面には、シャッタ開閉部材係合溝６４が設けられている。シャッタ開閉部材係合溝６４は、上ハーフ５２と下ハーフ５３とが突き合わされることにより、上ハーフ５２の立ち上がり周壁５６に形成した溝部６４ａと下ハーフ５３の立ち上がり周壁６０に形成した凹部６４ｂと突き合わせられて一本の溝として形成される。シャッタ開閉部材係合溝６４は、ディスクカートリッジ５０が記録及び／又は再生装置に挿入された際、記録及び／又は再生装置側に設けられるシャッタ開閉機構を構成するシャッタ開閉部材が係合して移動する。シャッタ開閉部材係合溝６４には、後述するロック部材７７の一部が突出する貫通孔６５が穿設されている。
【００８９】
また、カートリッジ本体５４を構成する上ハーフ５２の前面部５２ａ側には、下ハーフ５３の前面部５３ａと同一曲率の内壁６６が形成されている。この内壁６６は、上下ハーフ５２，５３を突き合わせたとき、図１０及び図１１に示すように、下ハーフ５３側に設けられた円弧状の収納部形成壁５８の外周側に沿って下ハーフ５３の内面に突き合わせられる。そして、上ハーフ５２の内壁６６と下ハーフ４の収納部形成周壁５８の間には、図１０及び図１１に示すように、後述するシャッタ機構６９の第１のシャッタ部材７１の開閉動作をガイドするシャッタガイド溝６７が形成される。
【００９０】
そして、カートリッジ本体５４の前面部側のコーナ部には、図１０に示すように、上ハーフ５２の立ち上がり周壁５６と内壁６６とに囲まれた一対の略三角形状をなす領域が形成される。カートリッジ本体５４に設けられるシャッタ開閉部材係合溝６４が位置する側の領域には、図１０に示すように、ロック部材７７を回動自在に支持するための支軸６８が突設される。
【００９１】
カートリッジ本体５４を構成する下ハーフ５３の底面側には、記録及び／又は再生用の開口部６２と駆動用開口部６３を開閉するシャッタ機構６９が配置される凹状をなすシャッタ配置部７０が設けられている。シャッタ配置部７０は、シャッタ機構６９が記録及び／又は再生用の開口部６２と駆動用開口部６３を開閉する際に摺動する範囲に亘って形成されている。
【００９２】
シャッタ配置部７０に配置されるシャッタ機構６９は、記録及び／又は再生用の開口部６２を開閉する第１のシャッタ部材７１と、駆動用開口部６３を開閉する第２のシャッタ部材７２とにより構成されている。第１のシャッタ部材７１と第２のシャッタ部材７２とは、回動中心となる端部において重ねられて配設されるとともに、他の部分がシャッタ配置部７０内において同一平面上に配置される。
【００９３】
第１のシャッタ部材７１は、合成樹脂や金属板によって形成され、図９に示すように、平板状に形成されたシャッタ部７１ａと、このシャッタ部２５ａの一側に垂直に立ち上がり形成された移動ガイド部７１ｂと、移動ガイド部７１ｂの一端側から突設された操作部７１ｃとにより構成されている。第１のシャッタ部材７１は、図９及び図１０に示すように、シャッタ部７１ａが下ハーフ５３に形成されたシャッタ配置部７０に位置させ、移動ガイド部７１ｂと操作部７１ｃとをシャッタガイド溝６７に位置させてカートリッジ本体５４に取り付けられる。シャッタ部７１ａは、記録及び／又は再生用の開口部６２を閉塞するに足る大きさを有する略台形状に形成され、一側に下ハーフ５３の前面部５３ａと同一の曲率の円弧状部が形成されている。このシャッタ部７１ａは、ディスク収納部５９の中心を仮想の中心として図１０中矢印Ｅ1方向及び矢印Ｅ2方向に回動して記録及び／又は再生用の開口部６２を開閉する。シャッタ部７１ａは、円弧状部となされた一側と対向する側縁において第２のシャッタ部材７２と当接する。
【００９４】
移動ガイド部７１ｂは、円弧状に形成されたシャッタ部７１ａの一側に形成した円弧状部に沿ってシャッタ部７１ａに対して垂直に立ち上がり形成されている。移動ガイド部７１ｂは、第１のシャッタガイド溝６７と同一曲率の円弧状に形成され、シャッタガイド溝６７内を図１０中矢印Ｅ1及びＥ2方向に摺動可能に配設される。移動ガイド部７１ｂは、図１０に示すように、シャッタ部７１ａの円弧状部よりもさらに長くシャッタガイド溝６７の一端近くまで達する長さに形成され、第１のシャッタ部材７１が一定以上図１０中矢印Ｅ2方向に摺動しないように移動を規制する。また、移動ガイド部７１ｂには、シャッタ機構６９が解放された際に、光ピックアップ等の記録再生機構が進入する凹部７１ｄが設けられる。
【００９５】
移動ガイド部７１ｂは、シャッタ機構６９が閉塞されている際にはカートリッジ本体５４の前面部に形成された切り欠き部を閉塞し、シャッタ機構６９が開放された際には凹部７１ｄが切り欠き部の位置まで移動して、光ディスク５１を外方に対して臨ませる開口を前面部に形成する。ディスクカートリッジ１は、凹部２５ｄを設けることにより、記録及び／又は再生装置に設けられた記録再生機構を光ディスク２に対して近接させて移動させることができ、このように光ディスク２と記録再生機構との距離を縮めることにより、記録及び／又は再生装置の薄型化を達成することができる。
【００９６】
また、第１のシャッタ部材７１に設けられる操作部７１ｃは、弾性を有するあるいは可撓性を有する部材により形成され、移動ガイド部７１ｂに比して薄く形成される。操作部７１ｃは、図１０に示すように、移動ガイド部７１ｂと同様にシャッタガイド溝６７に配設されるとともに、先端部分がシャッタ開閉部材係合溝６４に露出している。操作部７１ｃは、シャッタ開閉部材係合溝６４に露出している先端部分に操作用突部７５が形成されている。操作部７１ｃは、操作用突部７５がシャッタ開閉部材係合溝６４を摺動する記録及び／又は再生装置側に設けられるシャッタ操作機構のシャッタ開閉部材に係合し、このシャッタ開閉部材により図１０中矢印Ｇ1方向に押圧されることにより、シャッタ開閉部材係合溝６４に引き出される。この操作部７１ｃの中途部には、シャッタ係止孔７６が穿設される。シャッタ係止孔７６には、上ハーフ５２の立ち上がり周壁５６と内壁６６との間に構成された領域に構成された略三角形状の凹部に配設され支軸６８に回動自在に支持されたロック部材７７のロック爪７７ａが係合する。第１のシャッタ部材７１は、操作部７１ｃのシャッタ係止孔７６にロック部材７７のロック爪７７ａが嵌入されることにより開閉動作が規制される。
【００９７】
ロック部材７７は、ロック爪７７ａと、シャッタ開閉部材係合溝６４に設けられた貫通孔６５から一部が突出するロック解除レバー７７ｂと、ロック部材７７を図１０中矢印Ｈ方向、すなわちロック爪７７ａの先端をシャッタ係止孔７６に嵌入させる方向に付勢する板バネ等の弾性体７７ｃとを備えている。
【００９８】
第２のシャッタ部材７２は、例えば合成樹脂や金属材料によって形成されるとともに、駆動用開口部６３を閉塞するに足る幅を有する形状に形成されている。第２のシャッタ部材７２は、その主面に、開閉動作の軌道を案内する動作ガイド溝８０に嵌入され、シャッタの開閉動作の軌道を規制するピン７８が２個形成される。
【００９９】
シャッタ機構６９は、第１のシャッタ部材７１と第２のシャッタ部材７２とが第１のシャッタ部材７１に設けられた回動用支軸７３が、第２のシャッタ部材７２に設けられた回動用長孔７４に嵌入されることにより、一方の動作に他方の動作が連動して開閉可能とされる。また、シャッタ機構６９は、回動用孔７６が形成された第２のシャッタ部材７２の部分が段差状に形成されている。このため、シャッタ機構６９は、シャッタ配置部７０がさらに凹状に形成された摺動部７９内に第２のシャッタ部材７２の段差状の部分が配置される。
【０１００】
上ハーフ５２と下ハーフ５３とが突き合わされ熱溶着法あるいは接着剤を用いて接合されカートリッジ本体５４を形成し、カートリッジ本体５４に設けたシャッタ配置部７０にシャッタ機構６９が配設されると、カートリッジ本体５４の底面側、すなわち下ハーフ５３のシャッタ配置部７０が形成された側にカバー部材８１が取り付けられる。カバー部材８１は、記録及び／又は再生用の開口部６２と駆動用開口部６３とに該当する部分が切り欠かれているとともに、上ハーフ５２に設けられた位置決め部５７に対応する位置に位置決め部５７の開口端を外方に臨ませる切欠き部８１ａが形成されている。カバー部材８１は、シャッタ配置部７０に配設されたシャッタ機構６９を保持し且つカートリッジ本体５４内に塵埃等が侵入することを防止する。なお、カバー部材８１は、カートリッジ本体５４に接着剤等を用いて取り付けられる。ディスクカートリッジ５０では、第１の開口として下ハーフ５３に記録及び／又は再生用の開口部６２及び駆動用開口部６３を、第２の開口としてカバー部材８１に切り欠きを設けて、光ディスク５１の記録領域センター孔５５を外方に臨ませる開口部とされる。
【０１０１】
ところで、従来、広く用いられているディスクカートリッジに設けられるシャッタ部材は、カートリッジ本体の外方側に取り付けられ、カートリッジ本体の外方側の面に沿って移動するので、シャッタ部材の移動時に、カートリッジ本体の外方側の面に付着された塵埃をシャッタ部材の裏面に付着させ、ディスク収納部内に落としてしまう。
【０１０２】
これに対し、本発明に係るディスクカートリッジ１は、カートリッジ本体５４を構成する下ハーフ５３の外方側の面によって構成させる内壁とこの内壁に重ね合わせるように配設される外壁を構成するカバー部材８１との間に構成される収納空間内に第１及び第２のシャッタ部材７１，７２を配置しているので、これらシャッタ部材７１，７２が移動する際に、カートリッジ本体５の外方側の面に付着する塵埃をシャッタ部材７１，７２に付着させることがない。すなわち、第１及び第２のシャッタ部材７１，７２は、塵埃が付着しやすいカートリッジ本体５４の外方側の面を移動することがなく、実質的にカートリッジ本体５４の内部を移動するので、カートリッジ本体５４の外方側の面に付着する塵埃を光ディスク５１が収納されるカートリッジ収納部５９内に侵入することを確実に防止し、カートリッジ本体５４に収納した光ディスク５１の確実な保護を図ることができる。
【０１０３】
本発明に係るディスクカートリッジ５０は、図１３に示すように、シャッタ配置部７０の外側、すなわちシャッタ機構６９の移動領域外で且つカートリッジ本体５４の４つのコーナ部に、記録及び／又は再生装置側に設けられる位置決め手機構を構成する高さ方向と水平方向の位置決めを図る位置決めピン及び高さ方向の位置決めを図る高さ位置決めピンによって支持されるカートリッジ支持部８２が構成されている。そして、カートリッジ本体５４の背面側のコーナ部に構成されたカートリッジ支持部８２には、前述したように、位置決めピンが係合する位置決め部５７が設けられ、カートリッジ本体５４の前面側のコーナ部に設けられたカートリッジ支持部８２は、平坦な面のままとされ、高さ位置決めピンによって支持される部分となされている。特に、本発明に係るディスクカートリッジ５０は、カートリッジ本体５４の記録及び／又は再生装置への挿入側となる前面部が、下ハーフ５３側に設けられるディスク収納部５９の円弧より大きな半径を有する一連の円弧状に形成されているので、ディスク収納部５９とカートリッジ本体５４の前面部により囲まれた領域を大きくすることができるので、この大きな領域を記録及び／又は再生装置側に設けた位置決め支持機構を構成する高さ位置決めピンによって支持されるカートリッジ支持部８２とすることにより、記録及び／又は再生装置内に設けた高さ位置決めピンによって安定した状態で確実に位置決めして支持することができる。
【０１０４】
本発明に係るディスクカートリッジ５０は、カートリッジ本体５４の前面部のコーナ部にディスク収納部５９が構成されることがなく、しかも、シャッタ部材７１，７２の移動する領域ともならない大きな領域を構成し、この部分をカートリッジ支持部８２としているので、シャッタ部材７１，７２をカートリッジ本体５４の底部に沿って移動するように構成し、更にカートリッジ本体５４の底部にシャッタ部材７１，７２を収納する空間を設けても、シャッタ部材７１，７２の円滑な移動を保証しながら、記録及び／又は再生装置内に設けた高さ位置決めピンによって安定した状態で確実に高さ方向の位置決めを図って支持することができる。
【０１０５】
上述のように構成されたディスクカートリッジ５０を記録及び／又は再生装置に挿入され、その後、記録及び／又は再生装置から排出される場合の動作を図面を参照して説明する。
【０１０６】
ディスクカートリッジ５０は、非使用状態、すなわち記録及び／又は再生装置内に装着されない保管状態においては、図１０に示すように第１のシャッタ部材７１は主に記録及び／又は再生用の開口部６２を閉塞した位置に置かれ、第２のシャッタ部材７２は主に駆動用開口部６３を閉塞した位置に置かれている。このディスクカートリッジ５０は、ロック部材７７のロック爪７７ａがシャッタ係止孔７６に係合することにより開閉動作が規制された第１のシャッタ部材７１に当接しているため、第１及び第２のシャッタ部材７１，７２は、このロックを解除しない限り移動が規制された状態にある。
【０１０７】
ディスクカートリッジ５０は、記録及び／又は再生装置に装着された状態において、記録及び／又は再生装置内に配設された位置決め機構を構成する水平方向及び高さ方向の装着位置を位置決めする位置決めピンが位置決め部５７に設けた係合孔に係合するとともにこの位置決め部５７の周部を支持し、さらに、高さ位置決めピンがカートリッジ本体５４の前面部側の両側のコーナ部に設けた平坦なカートリッジ支持部８２，８２を支持することにより、水平方向及び高さ方向の位置決めが図られて記録及び／又は再生装置内に装着される。
【０１０８】
ディスクカートリッジ５０は、非使用状態、すなわち記録及び／又は再生装置内に装填されていない保管状態においては、図１０に示すように第１のシャッタ部材７１は主に記録及び／又は再生用の開口部６２を閉塞した位置に置かれ、第２のシャッタ部材７２は主に駆動用開口部６３を閉塞した位置に置かれている。このディスクカートリッジ５０は、ロック部材７７のロック爪７７ａがシャッタ係止孔７６係合することにより開閉動作が規制された第１のシャッタ部材７１に当接しているため、第１及び第２のシャッタ部材７１，７２は、このロックを解除しない限り移動が規制された状態にある。
【０１０９】
ディスクカートリッジ５０は、記録及び／又は再生装置内に挿入された状態において、記録及び／又は再生装置内に配設された位置決め機構を構成する水平方向及び高さ方向の装着位置位置決めする位置決めピンが位置決め部５７に設けた係合孔に嵌合するとともに、この位置決め部５７の周部を支持し、さらに高さ位置決めピンがカートリッジ本体５４の前面部側の両側のコーナー部に設けた平坦なカートリッジ支持部８２，８２を支持することにより、水平方向及び高さ方向の位置決めが図られて記録及び／又は再生装置内に装着される。
【０１１０】
記録及び／又は再生装置内に設けたシャッタ操作機構のシャッタ開閉部材がカートリッジ本体５４の一側に形成されたシャッタ開閉部材係合溝６４に係合し、貫通孔６５を介してロック部材７７のロック解除レバー７７ｂが図１０中矢印Ｇ1方向に押圧される。ロック部材７７は、支軸６８によって回動自在に支持されているため、ロック解除レバー７７ｂが図７中矢印Ｇ1方向に押圧されるとロック爪７７ａの先端が図７中反矢印Ｈ方向に回動してシャッタ係止孔７６から外れる。第１のシャッタ部材７１は、ロック爪７７ａの先端がシャッタ係止孔７６から外れると第１のシャッタ部材７１の係止状態が解除される。
【０１１１】
ディスクカートリッジ５０が更に記録及び／又は再生装置内に挿入されると、シャッタ開閉部材がシャッタ開閉部材係合溝６４を図１０中矢印Ｇ1方向に更に移動し、シャッタ開閉部材係合溝６４内に突出した第１のシャッタ部材７１の操作部７１ｃに設けた操作用突部７５にシャッタ開閉部材が係合する。操作用突部７５がシャッタ開閉部材に係合されると、操作部７７ｃがシャッタ開閉部材係合溝６４内に引き出される。図１２に示すように、操作部７１ｃがシャッタ開閉部材係合溝６４に引き出されれると、シャッタ部７１ａと移動ガイド部７１ｂと回動されて記録及び／又は再生用の開口部６２が開放される。
【０１１２】
ディスクカートリッジ５０においては、第１のシャッタ部材７１と第２のシャッタ部材７２が、回動用長孔７４に嵌入した回動用支軸７３の動きに連動して図７中矢印Ｆ1方向に回動して駆動用開口部６３が開放される。
【０１１３】
ディスクカートリッジ５０は、記録及び／又は再生用の開口部６２及び駆動用開口部６３が解放される位置まで記録及び／又は再生装置内に挿入されると、上述したように、位置決め機構によって位置決め支持されて記録及び／又は再生装置内のカートリッジ装着部に装着され、光ディスク５１を回転駆動機構のディスクテーブル上の装着される。ここで、回転駆動機構を駆動し、光ディスク５１を回転駆動するとともに、光ピックアップ装置等の記録再生機構を駆動させることによって、光ディスク５１への情報信号の記録が行われ、又は光ディスク５１に記録された情報信号の再生が行われる。
【０１１４】
光ディスク５１への情報信号の記録が終了し、あるいは光ディスク５１に記録された情報信号の再生が終了した後、ディスクカートリッジ５０を記録及び／又は再生装置からイジェクトするには、イジェクト機構を操作してシャッタ操作機構のシャッタ開閉部材を図１２中矢印Ｇ2方向に移動させると、操作用突部７５がシャッタ開閉部材に押圧操作されて同方向に移動され、第１のシャッタ部材７１が記録及び／又は再生用の開口部６２を閉塞する図１２中矢印Ｅ2方向に回動される。第１のシャッタ部材７１が開口部６２を閉塞する方向に回動されると、第２のシャッタ部材７２も回動用長孔７４嵌入した回動用支軸７３に引っ張っられてその動作に連動して図１２中矢印Ｆ2方向に回動して駆動用開口部６３を閉塞する。
【０１１５】
第１のシャッタ部材７１が図１０に示す初期位置に復帰すると、操作部７１ｃに形成されたシャッタ係止孔７６内にロック部材７７のロック爪７７ａが再度係合し、記録及び／又は再生用の開口部６２を閉塞した図１０に示す位置に保持される。第１のシャッタ部材７１が開口部６２を閉塞した位置に回動されると、第１のシャッタ部材２５と連動して回動動作する第２のシャッタ部材７２も駆動用開口部６３を閉塞した位置に保持され、記録及び／又は再生用の開口部１５及び駆動用開口部１６がともに閉塞状態となる。
【０１１６】
【発明の効果】
上述したように、本発明に係るディスクカートリッジは、光ディスクや光磁気ディスク等のディスク状記録媒体を収納したカートリッジ本体に設けられた開口部を開閉するシャッタ機構がカートリッジ本体に主面に沿って移動する２枚のシャッタ部材から構成され、カートリッジ本体の第１及び第２のシャッタ部材が移動する領域を、相対向して配設された第１及び第２の壁部とから構成し、第１及び第２の壁部間の空間に第１及び第２のシャッタ部材を進入するようにしてるので、各シャッタ部材は、塵埃が付着しやすいカートリッジ本体の外方側の面を摺動することがないので、開口部の開閉に関連して塵埃をカートリッジ本体内に進入させることを確実に防止でき、カートリッジ本体に収納したディスク状記録媒体の確実な保護を図ることができる。
【０１１７】
更に、カートリッジ本体に設けられた開口部は、カートリッジ本体に収納されたディスク状記録媒体の主面に沿って移動する２枚のシャッタ部材により開閉されるので、カートリッジ本体に比し大きなものとすることができ、大型の記録及び／又は再生機構を用いて高密度の情報信号の記録を行うことができる。
【図面の簡単な説明】
【図１】本発明に係るディスクカートリッジを示す斜視図である。
【図２】本発明に係るディスクカートリッジをシャッタ機構が設けられた底面部側から見た斜視図であって、記録及び／又は再生用の開口及び駆動用開口部がシャッタ機構によって閉塞された状態を示す。
【図３】上記ディスクカートリッジの分解斜視図である。
【図４】記録及び／又は再生用の開口及び駆動用開口部が閉塞されている状態を示す上記ディスクカートリッジの平面図である。
【図５】上記ディスクカートリッジの縦断面図である。
【図６】記録及び／又は再生用の開口及び駆動用開口部が開放された状態を示すディスクカートリッジの平面図である。
【図７】記録及び／又は再生用の開口及び駆動用開口部が閉塞された状態を示す上記ディスクカートリッジの底面図である。
【図８】記録及び／又は再生用の開口及び駆動用開口部が開放された状態を底面側から見た上記ディスクカートリッジの斜視図である。
【図９】本発明に係るディスクカートリッジの他の例を示す分解斜視図である。
【図１０】記録及び／又は再生用の開口及び駆動用開口部が閉塞されている状態を示す上記ディスクカートリッジの平面図である。
【図１１】上記ディスクカートリッジの縦断面図である。
【図１２】記録及び／又は再生用の開口及び駆動用開口部が開放された状態を示すディスクカートリッジの平面図である。
【図１３】記録及び／又は再生用の開口及び駆動用開口部が閉塞された状態を示す上記ディスクカートリッジの底面図である。
【符号の説明】
１  ディスクカートリッジ，２  光磁気ディスク，３  上ハーフ，４  下ハーフ，５  カートリッジ本体，５  カートリッジ本体，１１  ディスク収納部，１５  記録及び／又は再生用の開口部，１６  駆動用開口部，２３  シャッタ機構，２４  シャッタ配置部，２５  第１のシャッタ部材，２６  第２のシャッタ部材，３８  カバー部材，４０  カートリッジ支持部
【図１】
0004103257.tif 000002
【図２】
0004103257.tif 000003
【図３】
0004103257.tif 000004
【図４】
0004103257.tif 000005
【図５】
0004103257.tif 000006
【図６】
0004103257.tif 000007
【図７】
0004103257.tif 000008
【図８】
0004103257.tif 000009
【図９】
0004103257.tif 000010
【図１０】
0004103257.tif 000011
【図１１】
0004103257.tif 000012
【図１２】
0004103257.tif 000013
【図１３】
0004103257.tif 000014